(57)【要約】【課題】  この考案の安全脚立は、４５度〜９０度の広範囲の傾斜角度でも安定して脚立本体を懸架でき、高所での作業を安全で効率よくできる。【解決手段】  伸縮自在のレースウエイ６の先端部を被懸架物に当接させ、レースウエイ６の基部を脚立本体１の下端近傍に枢着させる。  伸縮自在のレースウエイ６の上面に複数の係止手段６ａ１〜６ａ３を設け、脚立本体１の左側親柱１Ｌ、右側親柱１Ｒに「コ」字形のストッパ７を枢着させ、被懸架物に対して、脚立本体１を所定の傾斜角度で懸架する際に、脚立本体１の先端部分を被懸架物に懸架させながらレースウエイ６を伸張あるいは収縮させて被懸架物に一端を当接させ，脚立本体１の傾斜角度に応じた係止手段６ａ１〜６ａ３のいずれかにストッパ７の底部７Ｂを係止させることにより、脚立本体１の意図する傾斜角度を一定に保持する。【選択図】  図１
0003112689.tif 000002
【実用新案登録請求の範囲】
【請求項１】
左側親柱と右側親柱間に所定の間隔をもって複数の踏み段を形成した脚立本体と、
基部が上記脚立本体の下端近傍に回動可能に枢着され、上記脚立本体の上端を被懸架物に懸架する際に、上記脚立本体の先端を上記被懸架物に当接させながら脚立本体の上記被懸架物に対する懸架角度に応じて移動することにより伸張あるいは縮小するとともに、最大伸張点と最小縮小点で移動停止し、かつ上面に複数の係止手段を有するレースウエイと、
上記脚立本体の所定箇所に枢着されて、上記被懸架物に対する上記脚立本体の所定の懸架角度に応じて上記複数の係止手段のうちの所定の係止手段に係止させて、上記脚立本体を所定の上記懸架角度で保持させるストッパと、
を備えてなることを特徴とする安全脚立。
【考案の詳細な説明】
【技術分野】
【０００１】  この考案は、被懸架物に脚立本体を懸架する際に、４５度〜９０度の範囲のに亘って任意の角度で転倒することなく脚立本体を懸架して、脚立本体上での高所の作業を安全かつ高効率的に行うことができるようにした安全脚立に関する。
【背景技術】
【０００２】  従来電気通信工事や、家屋などの建造物の外壁塗装工事などの高所での作業には、一般に脚立を用いて、作業員が脚立本体の踏み段を上って行うのが一般的である。
【考案が解決しようとする課題】
【０００３】  しかしながら、工事施行箇所は常に一定の条件ではなく、脚立本体を懸架する箇所によっては、立地条件、形状ならびに脚立本体の被懸架物に対する懸架角度なども千差万別である。
また、脚立本体を被懸架物に懸架する際には、安全衛生法では、脚立本体が転倒して作業員に障害が及ぶのを回避するために、最大７５度を限度とすることが規定されている。
【０００４】  したがって、脚立本体を使用して各種工事現場での高所の作業を行うには、安全性を期する点から、自ずと限界があり、脚立本体を被懸架物に懸架する箇所が限定され、脚立本体の利用効率ならびに工事の作業効率が悪いという課題がある。
【０００５】  上記課題を解決するために、この考案は、４５度から９０度の広範囲の傾斜角度で脚立本体を被懸架物に対して、脚立本体が転倒することなく、安定した状態で傾斜させて、各種作業条件に適合して、高能率かつ安全に高所での工事作業を行うことができる安全脚立を提供することを目的とする。
【課題を解決するための手段】
【０００６】  上記目的を達成するために、この考案の安全脚立は、左側親柱と右側親柱間に所定の間隔をもって複数の踏み段を形成した脚立本体と、基部が上記脚立本体の下端近傍に回動可能に枢着され、上記脚立本体の上端を被懸架物に懸架する際に、上記脚立本体の先端を上記被懸架物に当接させながら脚立本体の上記被懸架物に対する懸架角度に応じて伸張あるいは縮小するとともに、最大伸張点と最小縮小点で移動停止し、かつ上面に複数の係止手段を有するレースウエイと、上記脚立本体の所定箇所に枢着されて、上記被懸架物に対する上記脚立本体の所定の懸架角度に応じて上記複数の係止手段のうちの所定の係止手段に係止させて、上記脚立本体を所定の上記懸架角度で保持させるストッパとを備えてなることを特徴とするものである。
【０００７】  上記安全脚立により、被懸架物に対して、脚立本体の左側親柱と右側親柱の上端を当接して所定の角度で脚立本体を懸架するとともに、基端が枢着部材に枢着されたレースウエイを回動させて、レースウエイの先端が被懸架物に当接させると、脚立本体の懸架角度に応じてレースウエイが移動して、伸張あるいは収縮することにより、レースウエイにより脚立本体の下端と被懸架物との間の間隔が一定に固定されるとともに、レースウエイが最大伸張点あるいは最小縮小点になると、その移動が規制される。
【０００８】  また、脚立本体の下面と被懸架物との間隔が一定に固定されると、ストッパの下端がレースウエイの上面に設けられた複数の係止手段のうちの懸架角度に対応する係止手段に係止し、レースウエイと脚立本体の左側親柱と右側親柱との間の夾角が一定に保持される。
したがって、脚立本体が被懸架物から離脱することなく、脚立本体の転倒を防止することができる。
【考案の効果】
【０００９】  このように、この考案の安全脚立によれば、被懸架物に対して所定の懸架角度で脚立本体を懸架させることにより、その懸架角度に応じてレースウエイが伸張あるいは収縮して脚立本体の基部と被懸架物との間隔を一定に保持するとともに、懸架角度に応じた位置の係止手段にストッパが係止するとともに、レースウエイの最大伸張時あるいは最小縮小時には、移動が規制されるから、被懸架物に対して脚立本体を４５度〜９０度に亘る広範囲の任意の角度で転倒させることなく、安定して懸架することができ、各種作業条件に適合して、高能率かつ安全に高所での工事作業を行うことができる。
【考案を実施するための最良の形態】
【００１０】  以下、この考案の実施の形態を図面に基づき説明する。図１はこの考案による安全脚立の最良の実施形態の全体的構成を示す斜視図であり、脚立本体の裏面側から見た状態を示している。
この図１において、符号１は全体がアルミニウム等の金属材で形成された脚立本体を示す。脚立本体１は、左側親柱１Ｌと右側親柱１Ｒとが平行状態を保持しており、この左側親柱１Ｌと右側親柱１Ｒの先端には、プラスチック材などによる保護キャップ２Ｒ，２Ｌが被せられている。【００１１】  左側親柱１Ｌと右側親柱１Ｒ間には、所定の間隔をもって平行状に横木をボルト（図示せず）などにより固定して、複数の踏み段１ａ乃至１ｎが取り付けられている。
図１に示す実施の形態では、踏み段１ａが第１段目（最下段）で、踏み段１ｎが最上段となっている場合を示している。【００１２】  また、左側親柱１Ｌと右側親柱１Ｒの上端近傍、すなわち、保護キャップ２Ｒ，２Ｌの近傍において、この左側親柱１Ｌと右側親柱１Ｒと間には、固定板３が取り付けられている。
同様にして、左側親柱１Ｌと右側親柱１Ｒの下端近傍、すなわち、第１段目の踏み段１ａの近傍において、左側親柱１Ｌと右側親柱１Ｒと間には、部材取付板４が取り付けられている。
固定板３は、左側親柱１Ｌと右側親柱１Ｒと間の強度補強や、必要に応じて適宜部材を取り付ける場合などに至便なように取り付けられているものであり、必ずしも必要なものではない。
かくして、左側親柱１Ｌと右側親柱１Ｒ、踏み段１ａ〜１ｎ、保護キャップ２Ｒ，２Ｌ、固定板３、部材取付板４とにより、脚立本体１が構成されている。【００１３】  部材取付板４には、枢着装置５が取り付けられている。枢着装置５は、後述するレースウエイ６の内管６ｂの基部を回動自在に枢着するためのもであり、その構成の一例を図２に拡大斜視図として示している。
この図２からも明らかなように、枢着手段５は長方形状の基板５ａの中央部に１対の支持板５ｂ，５ｃを所定の間隔をもって直立されている。これらの基板５ａ、支持板５ｂ，５ｃは一体的に形成されている。【００１４】  支持板５ｂ，５ｃの中央部には、挿入孔５ｂ１、５ｃ１が形成されているとともに、支持板５ｂ，５ｃの外側において、基板５ａの両端近傍は、それぞれつば５ａ１，５ａ２となっている。
つば５ａ１，５ａ２の中央部には、それぞれねじ孔５ａ１１，５ａ２１が形成されている。これらのねじ孔５ａ１１，５ａ２１を通して上記脚立本体１の部材取付板４に基板５ａを螺着することにより、枢着手段５を脚立本体１に固定するようになっている。【００１５】  支持板５ｂ，５ｃ間に、図１および図３（レースウエイ６が枢着手段５に枢着された状態を示す拡大斜視図）に示すように、レースウエイ６の内管６ｂの基部を挿入して、この基部に設けた貫通孔（図示せず）を通して、支持板５ｂ，５ｃの挿入孔５ｂ１、５ｃ１にボルトを貫通するとともに、ナットなどで螺着することにより、レースウエイ６を内管６ｂの基部を支点にして、図１に示す矢印Ａ１方向に回動可能なように枢着している。【００１６】  次に、このレースウエイ６の構成について説明する。レースウエイ６は図１からも明らかなように、角状の管体の外管６ａ内にそれよりも細い寸法を有する内管６ｂが挿脱可能になっている。
つまり、外管６ａ内に内管６ｂを同心状に挿脱させることにより、レースウエイ６は矢印Ａ２方向に伸縮自在になっている。【００１７】  この伸縮自在を円滑かつ確実に行うために、外管６ａの両側面の中央部に長手方向に沿ってガイドレール６ａ１１が形成されている。ガイドレール６ａ１１の両端は外管６ａの両端近傍に位置している。
このガイドレール６ａ１１に沿ってレースウエイ６の内管６ｂが移動可能となるように図３に示すごとく、内管６ｂの両側面の左端近傍には、挿通孔６ｂ１が形成されている。
挿通孔６ｂ１は上記ガイドレール６ａ１１に対応する位置に設けられている。
このガイドレール６ａ１１、挿通孔６ｂ１には、図１および図４（図１の外管６ａの左側面図）からも明らかなように、内管支持棒６ｄが貫通されている。
内管支持棒６ｄは、少なくとも両端近傍にねじ溝が刻設されている。【００１８】  内管支持棒６ｄの両端はガイドレール６ａ１１の外側に突出しており、外管６ａの両外側において、内管支持棒６ｄの両端はナット６ｅ，６ｆにより螺着されている。
これにより，図４より明らかなように、内管支持棒６ｄは外管６ａ内に内管６ｂを安定した状態でガイドレール６ａ１１に沿って矢印Ａ２方向に移動可能になっている。
内管支持棒６ｄは、ガイドレール６ａ１１に沿って移動することにより，レースウエイ６が伸縮可能となるが、その最大伸張点は内管支持棒６ｄがガイドレール６ａ１１の右端で移動が規制された点であり，内管６ｂが外管６ａから最大引き出された状態となる。
また、レースウエイ６の最小縮小点は、内管支持棒６ｄがガイドレール６ａ１１の左端で移動が規制された点であり、内管６ｂが外管６ａ内に最大に挿入されて、最小縮小点に達した状態となる。【００１９】さらに、外管６ａの上面には、図１に示すように所定の間隔をもって、その長手方向に対して直角方向（短辺方向）に複数の「Ｖ」字形の溝を形成して、係止手段６ａ１，６ａ２，・・・が形成されている。
この係止手段６ａ１，６ａ２，・・・には、ストッパ７の底部７Ｂが係止するようになっている。【００２０】  ストッパ７は、図１からも明らかなように、上向き「コ」字形に形成されており、脚立本体１の左側親柱１Ｌ、右側親柱１Ｒの側面には、ストッパ７のアーム７Ｌ，７Ｒが、枢着点８で枢着されている。これにより、ストッパ７は矢印Ａ３方向に、回動可能になっている。
このアーム７Ｌ，７Ｒと一体的に底部７Ｂが形成されている。底部７Ｂは上記レースウエイ６の「Ｖ」字形の係止手段６ａ１，６ａ２，・・・のいずれかに圧接して、係止されるようになっている。
アーム７の底部７Ｂが係止手段６ａ１，６ａ２，・・・のいずれかに係止されることにより、脚立本体１の被懸架物に対する懸架角度、すなわち、傾斜角度が規定されることになる。【００２１】  次に、以上のように構成されたこの実施形態の動作、すなわち、脚立本体１の使用状況について説明する。
図５はこの脚立本体１の使用状況を説明するための説明図であり、この図５の場合には、脚立本体１を被懸架物に懸架する場合の一例として、被懸架物が建造物として家屋の外壁に懸架して、この家屋の外壁に塗装を施す場合、あるいは電話回線、または電力線の敷設工事作業などを行う場合などに好適な場合を示している。【００２２】  この図５において、被懸架物としての家屋９の外壁９ａの所定位置において、脚立本体１の左側親柱１Ｌ、右側親柱１Ｒの先端部分の保護キャップ２Ｌ、２Ｒを当接させながら、この左側親柱１Ｌ、右側親柱１Ｒの下端を概略的目安の傾斜角度をもって地面上に設置する。
次いで、脚立本体１が外壁９ａに対して最適懸架角度となるように、レースウエイ６の外管６ａの先端（図１の左端）を家屋９の基礎９ｂに当接させながら、脚立本体１の左側親柱１Ｌ、右側親柱１Ｒの下端を外壁９ａに対して前後させる。
すなわち、内管支持棒６ｄをガイドレール６ａ１１に沿って矢印Ａ２方向に移動させることにより、レースウエイ６の内管６ｂを矢印Ａ２方向に移動するように、内管６ｂを外管６ａに対して挿脱させることにより、レースウエイ６の全体の長さが規定される。【００２３】  外管６ａに対する内管６ｂの挿脱に際して、レースウエイ６の最大伸張時は、内管支持棒６ｄがガイドレール６ａ１１の右端に当接した時点で最大伸張点が規制される。これにより、内管６ｂが外管６ａから右方向に抜けて逸脱することがなくなる。
同様に、レースウエイ６の最小縮小時には、内管支持棒６ｄがガイドレール６ａ１１の左端に当接して，内管６ｂが外管６ａ内に最大に挿入されたときであり、このときが最小縮小点となり、内管６ｂが外管６ａの左端よりさらに押し出されることがなくなる。
これにより、脚立本体１の保護キャップ２Ｌ，２Ｒの外壁９ａに当接する位置も自動的に規定される。その結果、脚立本体１の最適懸架角度（すなわち、最適傾斜角度）が設定される。【００２４】  このようにして、脚立本体１の最適懸架角度が設定されても、このままの状態では、脚立本体１の外壁９ａに対する脚立本体１の安定度が不確定である。
そこで、この実施形態では、次に枢着点８を支点としてストッパ７のアーム７Ｌ，７Ｒを矢印Ａ３方向に回動させることにより、ストッパ７の底部７Ｂを所定の、たとえば、係止手段６ａ３に係止させることにより、脚立本体１の懸架角度が完全に固定されることになる。
したがって、設定された外壁９ａに対する脚立本体１の懸架角度が固定され、脚立本体１の保護キャップ２Ｌ．２Ｒが外壁９ａから滑って、脚立本体１が落下したり、転倒したりすることがなくなる。【００２５】  このように、最良の実施形態では、被懸架物に対して、脚立本体を所定の懸架角度で懸架させた状態で、その懸架角度に対応したレースウエイ６の係止手段６ａ３にストッパ７の底部７Ｂを係止させることにより、脚立本体１の傾斜角度を固定させることができるから、被懸架物に対して、脚立本体１を４５度から９０度の広範囲の懸架角度で安定して懸架させることができる。
これにより、脚立本体を転倒させることなく、高所での工事作業を安定して行うことができるとともに、高所での作業効率を向上させることができる。【００２６】  なお、脚立本体１を外壁９ａから外して別のところに移動させたり、工事終了に伴い、脚立本体１を移動させる場合には、脚立本体１の裏面側において、枢着装置５によりレースウエイ６の内管６ｂを外管６ａ内に挿入して、最短の縮小寸法に縮小して、その基部を矢印Ａ１の左方向に回動させることにより、レースウエイ６を脚立本体１の裏面側に平行状態にして、脚立本体１とレースウエイ６とが密接するようにして，持ち運び、運搬などにより移動させる。【００２７】  なお、上記の実施の形態では、係止手段６ａ１，６ａ２は「ｖ」字形の溝を一定間隔で複数個設けた場合について例示したが、この「Ｖ」字溝を一定間隔ではなく、連接する形態（つまり、側面形状が鋸歯状となす）でもよいことは、自明である。【００２８】  また、この係止手段６ａ１，６ａ２の形状は、「Ｖ」字溝の形態ではなく、たとえば、図６に示すように、レースウエイ６の外管６ａの上面に一定間隔ごとに、長方体状の突起の形態を有する係止手段６ｃ１，６ｃ２、…を外管６ａの長手方向に対して直角方向に、この外管６ａと一体的に形成するようにしてもよい。
この場合も、上記実施形態の場合と同様に、脚立本体１の懸架角度を規定してから、その懸架角度を安定して保持するために、ストッパ７の底部７Ｂを所定の係止手段６ｃ１，６ｃ２、６ｃ３，…のいずれかに係止させる。【００２９】  次に、この考案の別の実施形態について説明する。図７は別の実施形態の全体的構成を示す斜視図であり、脚立本体の裏面側か見た状態を示している。この図７において、上記最良の実施形態と同一部分には、同一符号を付してその重複説明を避け、この最良の実施形態とは異なる部分を重点的に説明する。
この図７を上記図１ないし図５と比較しても明らかなように、符号１〜９で示す部分は最良の実施形態の場合と同様であり、符号１０以降で示す部分が新たに付加された部分であり、上記実施形態とは異なり、この別の実施形態の特徴をなす部分である。【００３０】  すなわち、上記固定板３には、ロープ固定部材１０が固定されている。このロープ固定部材１０は、図８に拡大斜視図として示されている。
この図８からも明らかなように、ロープ固定部材１０は長方形状に形成されており、その中央部に、「凸」状に形成されたブロック１０ａが固定されている。
ブロック１０ａの突部１０ｂの中央部には、貫通孔１０ｃが形成されている。貫通孔１０ｃには、ワイヤロープ１１の先端を挿入して、突部１０ｂに数回巻回することにより、ワイヤロープ１１の先端を固定している。【００３１】  ワイヤロープ１１の他端は滑車装置１２、レースウエイ６内を経由してストッパ付リール１３に巻回されている。
滑車装置１２は、レースウエイ６の外管６ａの先端（図７の左端）近傍の上面に固定されている。この滑車装置１２の構成は図９に拡大断面図として示されている。
図９に示すように、断面形状が上向き「Ｕ」字形に形成された支持枠１２ａの底部につば１２ｂを有している。つば１２ｂをボルト１２ｃなどにより、レースウエイ６の外管６ａの上面に固定されている。【００３２】  支持枠１２ａの上記「Ｕ」字形状をなした部分に滑車１２ｄが収納されている。滑車１２ｄの中央部には、ボルトなどの支持棒１２ｅが貫通している。支持棒１２ｅの両端はナット１２ｆなどにより螺着している。
かくして、滑車１２ｄが支持枠１２ａ内で回転自在になっている。この滑車１２ｄの外周面に溝が形成されている。この溝に上記ロープ固定部材１０から垂下されたワイヤロープ１１が巻回されている。
ワイヤロープ１１は、さらに滑車１２ｄから図１０に示すように、レースウエイ６の外管６ａ内に挿入された後、内管６ｂ内を経由してストッパ付リール１３に巻き取られるようになっている。【００３３】  ストッパ付リール１３は部材取付板４に固定されている。ストッパ付リール１３の構成について、図１１を参照しながら説明する。この図１１は、ストッパ付リール１３の構成を示す拡大斜視図である。
図１１に示すように、部材取付板４の所定位置に所定の間隔をもって対向する１対の支持板１３ａ，１３ｂの基部１３ｄｃ，１３ｄがねじなどにより固定されている。
この支持板１３ａ，１３ｂの上部はほぼ円板状に形成され、基部１３ｃ，１３ｄは直角方向に折り曲げられている。【００３４】  支持板１３ａ，１３ｂの中央部には、回転軸１３ｅが回転可能に支持されている。この回転軸１３ｅの両端には、つば１３ｆ，１３ｇ（つば１３ｇは図示せず）が取り付けられている。
回転軸１３ｅの外周面には、上記ワイヤロープ１１の他端部が巻回されている。この巻回時にワイヤロープ１１が上記つば１３ｆ，１３ｇにより回転軸１３ｅから離脱しないようになっている。
回転軸１３ｅの一端には、支持板１３ｂを貫通したハンドル１３ｈが連結されている。このハンドル１３ｈを矢印Ａ４方向に回転操作を行うことにより、ワイヤロープ１１を回転軸１３ｅに巻き取ったり、あるいは巻き戻すようになっている。【００３５】  また、回転軸１３ｅに所定量ワイヤロープ１１を巻き込んだ状態で、ワイヤロープ１１が巻き戻されないようにするために、支持板１３ｂの所定位置には、ストッパハンドル１３ｉが取り付けられている。
ストッパハンドル１３ｉは図１１の矢印Ａ５方向に回動操作を行うことにより、ワイヤロープ１１の巻取り、巻き戻しを停止したり、あるいは巻取り、巻き戻の停止解除を行うようになっている。
このストッパハンドル１３ｉの操作に連動して、ストッパアーム１３ｊが矢印Ａ６方向に上下動するようになっている。【００３６】  ストッパアーム１３ｊが矢印Ａ６の上方向に移動した場合には、回転軸１３ｅに巻回されたワイヤロープ１１に対する押圧力が解除され、またストッパアーム１３ｊが矢印Ａ６の下方向に移動した場合には、、回転軸１３ｅに巻回されたワイヤロープ１１の外周面を押圧して、ワイヤロープ１１の巻取り、あるいは巻き戻しが停止されるようになっている。
このように、ストッパアーム１３ｊによる回転軸１３ｅに巻回されたワイヤロープ１１に対する巻取り、巻き戻し作用が停止されると、レースウエイ６の矢印Ａ２方向の移動が停止して、レースウエイ６の外管６ａの先端が被懸架物に当接し、内管６ｂの移動が停止することにより、脚立本体１の被懸架物に対する懸架角度の調整が行われるようになっている。【００３７】  換言すれば、この実施の形態では、上記最良の実施形態の機能に加えて、ロープ固定部材１０、ワイヤロープ１１、滑車装置１２、ストッパ付リール１３により、懸架角度調整手段を構成し、脚立本体１とレースウエイ６とにより規定された懸架角度をさらに微調整する場合などに好都合である。【００３８】  次に，この別の実施形態による脚立本体１の懸架角度を規定する場合について説明する。脚立本体１とレースウエイ６とによる披懸架物に対する懸架角度の概略的規定は、上記図５での説明と同様であり、その説明を省略するが、このときストッパ７の底部７Ｂは係止手段６ａ１，６ａ２，６ａ３のいずれにも係止されていない状態とする。
このよう懸架角度の概略的規定後に、懸架角度調整を行う場合に、ロープ固定部材１０から垂下されたワイヤロープ１１の他端部分は、滑車１２ｄを経由して、レースウエイ６の外管６ａ、内管６ｂ内を通ってストッパ付リール１３の回転軸１３ｅに巻き取られている。【００３９】  この状態で、外壁９ａに対して、安全上、ならびに作業効率上などの点から最適工事作業に適する脚立本体１の傾斜角度を決定するために、ストッパ付リール１３のハンドル１３ｈを図１１の矢印Ａ４方向に回転させる。
この場合、脚立本体１の傾斜角度を大きくする場合には、すなわち、脚立本体１の起立状態が急傾斜にする場合には、ハンドル１３ｈを図１１において、右方向に回転させてワイヤロープ１１を回転軸１３ｅに巻き取らせる。
これにより、レースウエイ６の内管６ｂが図７の矢印Ａ２の左方向に外管６ａ内にスライドする。つまりレースウエイ６の長さ寸法が縮小することになる。【００４０】  これにともない、脚立本体１の左側親柱１Ｌ、右側親柱１Ｒの下端が図５の左方向（外壁９ａ方向）にスライドすると同時に、脚立本体１の左側親柱１Ｌ，右側親柱１Ｒの先端の保護キャップ２Ｌ，２Ｒが外壁９ａに沿って上方向にスライドする。かくして、脚立本体１の意図する傾斜角度の微調整が行われる。
このようにして、脚立本体１の傾斜角度の微調整を行うと、次にストッパ付リール１３のストッパハンドル１３ｉを図１１に示す矢印Ａ５の左方向に回動操作を行うことにより、ストッパアーム１３ｊが図１１の矢印Ａ６の下方向に移動する。
これにより、ストッパアーム１３ｊで回転軸１３ｅに巻回されているワイヤロープ１１を押圧して、ワイヤロープ１１が回転軸１３ｅから巻き戻されたり、巻き取られることがなくなる。【００４１】  また、これと同時に、この左側親柱１Ｌ、右側親柱１Ｒに枢着されているストッパ７のアーム７Ｌ，７Ｒが枢着点８を支点として回動させる。
したがって、ストッパ７の底部７Ｂを図７の矢印Ａ２の左方向に移動して、レースウエイ６の外管９ａの上面の係止手段６ａ３に係止して停止する。
これにより、上記のようにして決められた脚立本体１の傾斜角度を保持させる【００４２】  かくして、外壁９ａに対して、脚立本体１を７５度の傾斜角度を限度とすることなく、４５度から９０度の範囲内で外壁９ａに対する工事作業の実行し易い傾斜角度で任意に設定することができるとともに、安全かつ高能率で工事作業を行うことができる。【００４３】  次に、脚立本体１の外壁９ａに対する傾斜角度を前記とは逆に緩やかにする場合について説明する。
この場合は、上記の説明とは逆の手順を踏むことになる。すなわち、ストッパ付リール１３のストッパハンドル１３ｉを図１１の矢印Ａ４の右方向に回動させることにより、ストッパアーム１３ｊを矢印Ａ６の上方向に移動させ、回転軸１３ｅに巻回されているワイヤロープ１１に対するストッパアーム１３ｊの押圧力を解除させる。
次いで、脚立本体１の左側親柱１Ｌ、右側親柱１Ｒの保護キャップ２Ｌ，２Ｒを外壁９ａに沿って下降させることにより、脚立本体１の部材取付板４に固定されている枢着部材５に枢着されているレースウエイ６の内管６ｂの基部が図７の矢印Ａ２の右方向に移動する。【００４４】  すなわち、レースウエイ６の外管６ａから内管６ｂが引き出されるようにして、右方向に移動する。したがって、レースウエイ６が伸張したことになる。
このレースウエイ６の伸張により、脚立本体１の左側親柱１Ｌ，右側親柱１Ｒの基部が図７の右方向に移動する。
したがって、脚立本体１が外壁９ａに対する傾斜角度が小さくなり外壁９ａに対する脚立本体１の傾斜の度合いが緩やかになる。
このようにして、脚立本体１の左側親柱１Ｌ，右側親柱１Ｒが外壁９ａに対して所定の傾斜角度になると、ストッパ付リール１３のストッパハンドル１３ｉを図１１の矢印Ａ５の右方向に回動させて、ストッパアーム１３ｊを下降させることにより、回転軸１３ｅに巻回されているワイヤロープ１１を押圧して、ワイヤロープ１１が回転軸１３ｅから巻き取られたり、巻き戻されないようになる。【００４５】  また、このとき、脚立本体１の左側親柱１Ｌ，右側親柱１Ｒの基部が図７の矢印Ａ２の右方向に移動することにより、ストッパ７のアーム７Ｌ，７Ｒがその枢着点８を支点として図７の矢印Ａ３の右方向に回動する。
これにともない、ストッパ７の底部７Ｂがレースウエイ６の内管６ｂの係止手段６ａ２に移動して停止る。
この結果、外壁９ａに対する脚立本体１の傾斜角度が緩やかにする場合の微調整をして，微調整された傾斜角度で、脚立本体１の傾斜角度を一定に保持させる。【００４６】  以上のように、この別の実施の形態では、伸縮自在のレースウエイ６と、ストッパ７と、ワイヤロープ１１と、ストッパ付リール１３との相互作用により、被懸架物に対して脚立本体１の懸架角度を４５度〜９０度に亘る広範囲の任意の角度で規定し、さらに微調整できるので、上記最良の実施形態の場合と同様に、脚立本体を被懸架物に対して、滑動したり、脚立本体を転倒させることなく、安定して懸架することができ、各種作業条件に適合して、高能率かつ安全に高所での工事作業を行うことができる。【００４７】  なお、上記各実施形態では、レースウエイ６の形状は外管６ａ、内管６ｂは角形の管体を２つ用いる場合を例示したが、この管数は特に限定されるものではない。
また、脚立本体１は１連形式の場合について例示したが、２連式、３連式等の脚立本体にも適用することができるのは勿論である。
【図面の簡単な説明】
【００４８】
【図１】  この考案による安全脚立の最良の実施形態の全体的構成を裏面側から見た状態を示す斜視図である。
【図２】  この考案の安全脚立に使用されるレースウエイの枢着手段の構成を示す斜視図である。
【図３】  この考案の安全脚立に使用されるレースウエイを枢着装置に枢着した状態を示す拡大斜視図である。
【図４】  この考案の安全脚立に使用されるレースウエイの左側側面図である。
【図５】  この考案の安全脚立を家屋の外壁に懸架する場合の使用状況を説明するための説明図である。
【図６】  この考案による安全脚立に使用される係止手段の変形例を示す斜視図である。
【図７】  この考案による安全脚立の別の実施形態の全体的構成を裏面側から見た状態を示す斜視図である。
【図８】  この考案による安全脚立の別の実施形態におけるロープ固定部材の構成を示す斜視図である。
【図９】  この考案による安全脚立の別の実施形態における滑車装置の構成を示す拡大断面図である。
【図１０】  この考案による安全脚立の別の実施形態におけるワイヤロープがレースウエイ内を挿通する状態を示す斜視図である。
【図１１】  この考案による安全脚立の別の実施形態におけるストッパ付リールの構成を示す斜視図である。
【符号の説明】
【００４９】    １          脚立本体
１ａ〜１ｎ  踏み段
２Ｌ        左側親柱
２Ｒ        右側親柱
３          固定板
４          部材取付板
５          枢着手段
６          レースウエイ
６ａ        外管
６ｂ        内管
６ａ１〜６ａ３，６ｃ１〜６ｃ３    係止手段
６ａ１１    ガイドレール
６ｄ        内管支持棒
６ｅ，６ｆ  ナット
７          ストッパ
７Ｂ        底部
８          枢着点
９          家屋
９ａ        外壁
１０        ロープ固定部材
１１        ワイヤロープ
１２        滑車装置
１２ｄ      滑車
１３        ストッパ付リール
【図１】
0003112689.tif 000003
【図２】
0003112689.tif 000004
【図３】
0003112689.tif 000005
【図４】
0003112689.tif 000006
【図５】
0003112689.tif 000007
【図６】
0003112689.tif 000008
【図７】
0003112689.tif 000009
【図８】
0003112689.tif 000010
【図９】
0003112689.tif 000011
【図１０】
0003112689.tif 000012
【図１１】
0003112689.tif 000013